(57)【要約】【課題】  データ伝送効率を向上させ、同期エラー発生時におけるエラー要因を特定可能な無線システムを提供する。【解決手段】  無線基地局１において、光モジュール１３のＯ／Ｅ部１３ｂは光ファイバ１００ｂからの光信号を逆光電変換させ、直並列／並直列変換器１２の直並列変換器１２ｂはＯ／Ｅ部１３ｂで電気変換された信号をパラレル化させる。ベースバンド信号処理部１１は直並列変換器１２ｂでパラレル化されたデータの処理を行う。この時、光検出補正回路１４のＬＯＳ検出レベル可変素子部１４ｂは上り回線の断線または光受信信号のレベル低下発生時にアサートさせるＬＯＳ信号１０１とコントローラ１４ａの制御とに応じて、外付け抵抗等でＬＯＳ信号１０１の検出レベルを可変させる。【選択図】      図１
2006080704.tif 000002
【特許請求の範囲】
【請求項１】
受信段にて回線断及び光量の低下の少なくともいずれかを検出するＬＯＳ＿ＥＲＲと、エラーレートの悪化を検出する同期エラーとを検出可能な光検出機能を搭載する無線装置を含む無線システムであって、前記ＬＯＳ＿ＥＲＲ及び前記同期エラーの発生の有無を検出する検出手段と、前記検出手段の検出結果に応じて前記ＬＯＳ＿ＥＲＲの検出レベルを可変する可変手段と、前記検出レベルの可変によって前記ＬＯＳ＿ＥＲＲが解除された時にデータ伝送を許可する制御手段とを有することを特徴とする無線システム。
【請求項２】
前記可変手段は、前記同期エラー未発生時に前記ＬＯＳ＿ＥＲＲが発生した場合に前記ＬＯＳ＿ＥＲＲの検出レベルを可変させることを特徴とする請求項１記載の無線システム。
【請求項３】
前記可変手段は、前記同期エラー発生時に前記ＬＯＳ＿ＥＲＲの検出レベルを可変させてエラー要因の切り分けを行うことを特徴とする請求項１または請求項２記載の無線システム。
【請求項４】
前記検出手段と前記可変手段と前記制御手段とを前記無線装置及び前記無線装置に接続される送受信部の受信段の少なくとも一方に配設したことを特徴とする請求項１から請求項３のいずれか記載の無線システム。
【請求項５】
前記検出手段と前記可変手段と前記制御手段とを前記無線装置及び前記無線装置にデージーチェーン接続される送受信部の受信段の少なくとも一方に配設したことを特徴とする請求項１から請求項３のいずれか記載の無線システム。
【請求項６】
受信段にて回線断及び光量の低下の少なくともいずれかを検出するＬＯＳ＿ＥＲＲと、エラーレートの悪化を検出する同期エラーとを検出可能な光検出機能を搭載する無線装置であって、前記ＬＯＳ＿ＥＲＲ及び前記同期エラーの発生の有無を検出する検出手段と、前記検出手段の検出結果に応じて前記ＬＯＳ＿ＥＲＲの検出レベルを可変する可変手段と、前記検出レベルの可変によって前記ＬＯＳ＿ＥＲＲが解除された時にデータ伝送を許可する制御手段とを有することを特徴とする無線装置。
【請求項７】
前記可変手段は、前記同期エラー未発生時に前記ＬＯＳ＿ＥＲＲが発生した場合に前記ＬＯＳ＿ＥＲＲの検出レベルを可変させることを特徴とする請求項６記載の無線装置。
【請求項８】
前記可変手段は、前記同期エラー発生時に前記ＬＯＳ＿ＥＲＲの検出レベルを可変させてエラー要因の切り分けを行うことを特徴とする請求項６または請求項７記載の無線装置。
【請求項９】
受信段にて回線断及び光量の低下の少なくともいずれかを検出するＬＯＳ＿ＥＲＲと、エラーレートの悪化を検出する同期エラーとを検出可能な光検出機能を搭載する無線装置を含む無線システムの光検出補正制御方法であって、前記ＬＯＳ＿ＥＲＲ及び前記同期エラーの発生の有無を検出する第１のステップと、その検出結果に応じて前記ＬＯＳ＿ＥＲＲの検出レベルを可変する第２のステップと、前記検出レベルの可変によって前記ＬＯＳ＿ＥＲＲが解除された時にデータ伝送を許可する第３のステップとを有することを特徴とする光検出補正制御方法。
【請求項１０】
前記第２のステップは、前記同期エラー未発生時に前記ＬＯＳ＿ＥＲＲが発生した場合に前記ＬＯＳ＿ＥＲＲの検出レベルを可変させることを特徴とする請求項９記載の光検出補正制御方法。
【請求項１１】
前記第２のステップは、前記同期エラー発生時に前記ＬＯＳ＿ＥＲＲの検出レベルを可変させてエラー要因の切り分けを行うことを特徴とする請求項９または請求項１０記載の光検出補正制御方法。
【請求項１２】
前記第１から第３のステップを、前記無線装置及び前記無線装置に接続される送受信部の受信段の少なくとも一方の側に含むことを特徴とする請求項９から請求項１１のいずれか記載の光検出補正制御方法。
【請求項１３】
前記第１から第３のステップを、前記無線装置及び前記無線装置にデージーチェーン接続される送受信部の受信段の少なくとも一方の側に含むことを特徴とする請求項９から請求項１１のいずれか記載の光検出補正制御方法。
【請求項１４】
受信段にて回線断及び光量の低下の少なくともいずれかを検出するＬＯＳ＿ＥＲＲと、エラーレートの悪化を検出する同期エラーとを検出可能な光検出機能を搭載する無線装置を含む無線システムの光検出補正制御方法のプログラムであって、コンピュータに、前記ＬＯＳ＿ＥＲＲ及び前記同期エラーの発生の有無を検出する処理と、その検出結果に応じて前記ＬＯＳ＿ＥＲＲの検出レベルを可変する処理と、前記検出レベルの可変によって前記ＬＯＳ＿ＥＲＲが解除された時にデータ伝送を許可する処理とを実行させるためのプログラム。
【発明の詳細な説明】
【技術分野】
【０００１】
本発明は無線システム、無線装置及びそれらに用いる光検出補正制御方法並びにそのプログラムに関し、特に光検出機能を具備した無線装置に関する。
【背景技術】
【０００２】
従来、この種の無線装置としては、無線基地局と、移動端末との間で無線通信が行われる複数の無線中継装置（送受信機）とを光ファイバを介して相互通信可能に接続したものがあり、このような接続方法を採ることで、１つの無線基地局に複数の通信エリアが設定可能となる（例えば、特許文献１参照）。
【０００３】
上記のような無線装置においては、上り回線または下り回線の回線品質を監視するために、受信段にて回線断または光量の低下を検出するＬＯＳ＿ＥＲＲ検出信号と、エラーレートの悪化を検出する同期ＥＲＲ信号とを設けている。
【０００４】
これらＬＯＳ＿ＥＲＲ検出信号及び同期ＥＲＲ信号のどちらか一方でもエラーが発生した場合には、上位装置へのデータ転送を停止させる、またはデータを再送させるか等の処理を行っている。
【０００５】
【特許文献１】特開２００４−１６５９７５号公報
【発明の開示】
【発明が解決しようとする課題】
【０００６】
しかしながら、上述した従来の無線装置では、個々の光モジュールの特性によって、ＬＯＳ検出レベルのばらつきが存在するため、仮にＬＯＳ検出レベルの感度が高めに設定されていた場合、本来、要求されるエラーレートをクリアしているにもかかわらず、ＬＯＳ信号がアサートされてＥＲＲになり、データ伝送効率が低下してしまう可能性がある。
【０００７】
また、従来の無線装置では、光モジュールのマルチベンダ化を考慮した場合、光モジュールの特性も異なり、さらにＬＯＳ検出レベルの感度がばらつく可能性がある。
【０００８】
そこで、本発明の目的は上記の問題点を解消し、データ伝送効率を向上させることができ、同期エラー発生時におけるエラー要因を特定することができる無線システム、無線装置及びそれらに用いる光検出補正制御方法並びにそのプログラムを提供することにある。
【課題を解決するための手段】
【０００９】
本発明による無線システムは、受信段にて回線断及び光量の低下の少なくともいずれかを検出するＬＯＳ＿ＥＲＲと、エラーレートの悪化を検出する同期エラーとを検出可能な光検出機能を搭載する無線装置を含む無線システムであって、前記ＬＯＳ＿ＥＲＲ及び前記同期エラーの発生の有無を検出する検出手段と、前記検出手段の検出結果に応じて前記ＬＯＳ＿ＥＲＲの検出レベルを可変する可変手段と、前記検出レベルの可変によって前記ＬＯＳ＿ＥＲＲが解除された時にデータ伝送を許可する制御手段とを備えている。
【００１０】
本発明による無線装置は、受信段にて回線断及び光量の低下の少なくともいずれかを検出するＬＯＳ＿ＥＲＲと、エラーレートの悪化を検出する同期エラーとを検出可能な光検出機能を搭載する無線装置であって、前記ＬＯＳ＿ＥＲＲ及び前記同期エラーの発生の有無を検出する検出手段と、前記検出手段の検出結果に応じて前記ＬＯＳ＿ＥＲＲの検出レベルを可変する可変手段と、前記検出レベルの可変によって前記ＬＯＳ＿ＥＲＲが解除された時にデータ伝送を許可する制御手段とを備えている。
【００１１】
本発明による光検出補正制御方法は、受信段にて回線断及び光量の低下の少なくともいずれかを検出するＬＯＳ＿ＥＲＲと、エラーレートの悪化を検出する同期エラーとを検出可能な光検出機能を搭載する無線装置を含む無線システムの光検出補正制御方法であって、前記ＬＯＳ＿ＥＲＲ及び前記同期エラーの発生の有無を検出する第１のステップと、その検出結果に応じて前記ＬＯＳ＿ＥＲＲの検出レベルを可変する第２のステップと、前記検出レベルの可変によって前記ＬＯＳ＿ＥＲＲが解除された時にデータ伝送を許可する第３のステップとを備えている。
【００１２】
本発明による光検出補正制御方法のプログラムは、受信段にて回線断及び光量の低下の少なくともいずれかを検出するＬＯＳ＿ＥＲＲと、エラーレートの悪化を検出する同期エラーとを検出可能な光検出機能を搭載する無線装置を含む無線システムの光検出補正制御方法のプログラムであって、コンピュータに、前記ＬＯＳ＿ＥＲＲ及び前記同期エラーの発生の有無を検出する処理と、その検出結果に応じて前記ＬＯＳ＿ＥＲＲの検出レベルを可変する処理と、前記検出レベルの可変によって前記ＬＯＳ＿ＥＲＲが解除された時にデータ伝送を許可する処理とを実行させている。
【００１３】
すなわち、本発明の無線システムは、光検出補正回路を搭載した無線システムにおいて、無線基地局と遠方に張り出されている送受信機との間で、光回線の品質向上に関係した制御方法を提供するものである。
【００１４】
より具体的に説明すると、本発明の無線システムでは、無線基地局の光モジュールに受信する上り回線において、同期エラー検出器にてエラーが発生せずに伝送データに問題がない場合、光回線断または光量の低下等を検出するＬＯＳ検出部のＬＯＳ信号のエラーが発生した時、光モジュールに外付けされているＬＯＳ検出レベル可変素子部をコントローラで制御し、ＬＯＳ検出部の検出レベルを任意に可変させた後、ＬＯＳ信号のエラーが解除された場合に限り、上位装置に伝送データの出力を許可させている。
【００１５】
このようにして、本発明の無線システムでは、ＬＯＳ信号のエラーによる伝送データの出力停止を回避することが可能となり、データ伝送効率を向上させることが可能となる。
【００１６】
また、本発明の無線システムでは、同期エラー未発生時に、ＬＯＳ＿ＥＲＲになってしまう場合においても、ＬＯＳ検出レベルをコントローラで任意に可変させ、ＬＯＳ＿ＥＲＲが解除された場合に限り、上位装置へのデータ伝送を許可させている。
【００１７】
これによって、本発明の無線システムでは、光モジュール特性及びＬＯＳ検出レベル等のばらつきによってＬＯＳ検出レベルが高めに設定されていた場合、本来、同期エラーが発生していないにもかかわらず、ＬＯＳ信号がアサートされてＥＲＲになるところ、ＬＯＳ検出レベルの可変にて、ＬＯＳ＿ＥＲＲが解除される場合があるので、データ伝送効率を向上させることが可能となる。
【００１８】
また、本発明の無線システムでは、光モジュール特性及びＬＯＳ検出レベル等のばらつきによってＬＯＳ検出レベルが低めに設定されていた場合、ＬＯＳ検出レベルの可変にて、ＬＯＳ検出がアサートされないままであれば光伝送系データの不良、ＬＯＳ検出ＥＲＲが発生したならば光モジュール送信パワー劣化等と障害の切り分けを行うことが可能となるので、同期エラー発生時におけるエラー要因を特定することが可能となる。
【発明の効果】
【００１９】
本発明の無線システムは、以下に述べるような構成及び動作とすることで、データ伝送効率を向上させることができ、同期エラー発生時におけるエラー要因を特定することができるという効果が得られる。
【発明を実施するための最良の形態】
【００２０】
次に、本発明の実施の形態について図面を参照して説明する。図１は本発明の実施の形態による無線システムの構成を示すブロック図である。図１において、本発明の実施の形態による無線システムは上位装置（図示せず）とデータのアクセスを行う無線基地局１と、携帯電話機等の無線端末（図示せず）とデータの送受信を行う送受信機２との間を光ファイバ１００ａ，１００ｂにて中継して構成されている。
【００２１】
無線基地局１はベースバンド信号処理部１１と、直並列／並直列変換器１２と、光モジュール１３と、光検出補正回路１４とから構成されている。直並列／並直列変換器１２は並直列変換器１２ａと直並列変換器１２ｂとからなり、光モジュール１３はＥ／Ｏ（電気／光変換）部１３ａとＯ／Ｅ（光／電気変換）部１３ｂとからなり、光検出補正回路１４はコントローラ１４ａとＬＯＳ（ロス）検出レベル可変素子部１４ｂとからなっている。
【００２２】
送受信機２は光モジュール２１と、直並列／並直列変換器２２と、信号処理部２３と、無線部２４とから構成されている。光モジュール２１はＯ／Ｅ部２１ａとＥ／Ｏ部２１ｂとからなり、直並列／並直列変換器２２は直並列変換器２２ａと並直列変換器２２ｂとからなっている。
【００２３】
無線基地局１において、ベースバンド信号処理部１１は下り回線においてデータ多重分離等を行い、パラレルデータを出力する。直並列／並直列変換器１２の並直列変換器１２ａはベースバンド信号処理部１１からのパラレルデータをシリアルに変換させ、光モジュール１３のＥ／Ｏ部１３ａは並直列変換器１２ａからのシリアルデータを光電変換させ、光ファイバ１００ａを通して送受信機２に送る。
【００２４】
送受信機２において、光モジュール２１のＯ／Ｅ部２１ａは光ファイバ１００ａからの光信号を逆光電変換させ、直並列／並直列変換器２２の直並列変換器２２ａはＯ／Ｅ部２１ａからの信号のシリアル／パラレル変換を行う。信号処理部２３はデータの多重分離等を行い、無線部２４はＡ／Ｄ（アナログ／ディジタル）変換や増幅等を行う。
【００２５】
また、送受信機２において、無線部２４は上り回線においてアンテナからの受信データをＤ／Ａ（ディジタル／アナログ）変換等の処理を行い、信号処理部２３は無線部２４からのデータの多重分離等を行い、直並列／並直列変換器２２の並直列変換器２２ｂは信号処理部２３からのパラレルデータのシリアル変換を行う。光モジュール２１のＥ／Ｏ部２１ｂは並直列変換器２２ｂでシリアル化されたデータを光電変換させ、光ファイバ１００ｂを通して無線基地局１に送る。
【００２６】
無線基地局１において、光モジュール１３のＯ／Ｅ部１３ｂは光ファイバ１００ｂからの光信号を逆光電変換させ、直並列／並直列変換器１２の直並列変換器１２ｂはＯ／Ｅ部１３ｂで電気変換された信号をパラレル化させる。ベースバンド信号処理部１１は直並列変換器１２ｂでパラレル化されたデータの処理を行う。
【００２７】
この時、光検出補正回路１４のＬＯＳ検出レベル可変素子部１４ｂは上り回線の断線または光受信信号のレベル低下発生時にアサートさせるＬＯＳ信号１０１とコントローラ１４ａの制御とに応じて、図示せぬ外付け抵抗等でＬＯＳ信号１０１の検出レベルを可変させる。
【００２８】
これによって、本発明の実施の形態では、光モジュール１３の特性及びＬＯＳ検出レベル等のばらつきによってＬＯＳ検出レベルが高めに設定されていた場合、本来、同期エラーが発生していないにもかかわらず、ＬＯＳ信号がアサートされてＥＲＲ（エラー）になるところ、ＬＯＳ検出レベルの可変にてＬＯＳ＿ＥＲＲが解除される場合があるので、データ伝送効率を向上させることができる。
【００２９】
また、本発明の実施の形態では、光モジュール１３の特性及びＬＯＳ検出レベル等のばらつきによってＬＯＳ検出レベルが低めに設定されていた場合、ＬＯＳ検出レベルの可変にて、ＬＯＳ検出がアサートされないままであれば光伝送系データの不良、ＬＯＳ検出ＥＲＲが発生したならば光モジュール送信パワー劣化等と障害の切り分けを行うことができるので、同期エラー発生時におけるエラー要因を特定することができる。
【００３０】
ここで、ＬＯＳ＿ＥＲＲ検出信号は受信段にて回線断または光量の低下を検出した時に出力され、同期ＥＲＲ信号はエラーレートの悪化を検出した時に出力される。
【実施例１】
【００３１】
図２は本発明の一実施例による無線基地局の詳細な構成を示すブロック図である。図２において、無線基地局１はベースバンド信号処理部１１と、直並列／並直列変換器１２と、光モジュール１３と、光検出補正回路１４とから構成されている。尚、本発明の一実施例による無線システムは図１に示す本発明の実施の形態による無線システムと同様の構成となっている。
【００３２】
ベースバンド信号処理部１１は受信バッファデータ１１ａと、同期エラー検出器１１ｂとを備え、光モジュール１３はＥ／Ｏ部１３ａと、Ｏ／Ｅ部１３ｂと、ＬＯＳ検出部１３ｃとを備えている。
【００３３】
光検出補正回路１４はコントローラ１４ａと、ＬＯＳ検出レベル可変素子部１４ｂと、ＥＲＲ（エラー）報告格納部１４ｃとを備え、ベースバンド信号処理部１１の受信バッファデータ１１ａ及び同期エラー検出器１１ｂと、光モジュール１３のＬＯＳ検出部１３ｃとを加えて構成されている。コントローラ１４ａはＤＡＴＡ＿ＯＮ／ＯＦＦ制御部１４１ａと、ＬＯＳ検出レベル変更指令部１４２ａとを備えている。
【００３４】
ＤＡＴＡ＿ＯＮ／ＯＦＦ制御部１４１ａは上り回線の断線または光量の低下等を検出するＬＯＳ検出部１３ｃからのＬＯＳ信号１０１と、直並列／並直列変換器１２の出力の回線品質を監視する同期エラー検出器１１ｂからのＥＲ信号１０２と、それらのＬＯＳ信号１０１及びＥＲ信号１０２から受信バッファデータ格納部１１ａから上位装置へ出力停止を行うか否かを判断する。ＬＯＳ検出レベル変更指令部１４２ａはＤＡＴＡ＿ＯＮ／ＯＦＦ制御部１４１ａの判断を基にＬＯＳ検出レベル可変部１４ｂにてＬＯＳ検出レベルを可変させる。ＥＲＲ報告格納部１４ｃはコントローラ１４ａからのＥＲＲ報告を格納する。
【００３５】
本実施例では、無線基地局１の光モジュール１３に受信する上り回線において、同期エラー検出器１１ｂにてエラーが発生せず、伝送データに問題がない場合に、光回線断または光量の低下等を検出するＬＯＳ検出部１３ｃのＬＯＳ信号１０１のエラーが発生した時、光モジュール１３に外付けされているＬＯＳ検出レベル可変素子部１４ｂをコントローラ１４ａで制御し、ＬＯＳ検出部１３ｃの検出レベルを任意で可変させた後、ＬＯＳ信号１０１のエラーが解除された場合に限り、上位装置に伝送データの出力を許可させている。これによって、本実施例では、ＬＯＳ信号１０１のエラーによる伝送データの出力停止を回避することができ、データ伝送効率を向上させることができる。
【００３６】
図３は本発明の一実施例による無線システムの光検出補正制御方法の処理を示すフローチャートである。これら図１〜図３を参照して本発明の一実施例による無線システムの光検出補正制御方法について説明する。尚、この光検出補正制御方法はコンピュータ［例えば、ＣＰＵ（中央処理装置）等］においてメモリ等に格納されるプログラムを実行することでも実現可能である。
【００３７】
本実施例では同期エラー未発生時に、ＬＯＳ＿ＥＲＲになってしまう場合においても、ＬＯＳ検出レベルをコントローラ１４ａの制御で任意に可変させ、それによってＬＯＳ＿ＥＲＲが解除された場合に限り、上位装置へのデータ伝送を許可している。
【００３８】
まず、本発明の一実施例による無線システムの装置電源がＯＮ（リセット含む）すると（図３ステップＳ１）、光検出補正回路１４は通常運用モードになり、ＤＡＴＡ＿ＯＮ／ＯＦＦ制御部１４１ａにてＬＯＳ＿ＥＲＲ発生と同期ＥＲＲ発生とを監視する（図３ステップＳ２）。以下の説明では、ＬＯＳ＿ＥＲＲ発生またはＥＲＲ発生の場合にＨ、それらが発生しない場合にＬとする。
【００３９】
ＬＯＳ＿ＥＲＲ：Ｌ、同期ＥＲＲ：Ｌの場合、光検出補正回路１４は通常モードになる（図３ステップＳ３）。それ以外の場合にはＬＯＳ＿ＥＲＲまたは同期ＥＲＲが発生するため、コントローラ１４ａはＤＡＴＡ＿ＯＮ／ＯＦＦ制御部１４１ａをＯＦＦに設定し（図３ステップＳ４）、受信バッファデータ格納部１１ａからの出力を停止する（図３ステップＳ５）。
【００４０】
ＬＯＳ＿ＥＲＲ：Ｈ、同期ＥＲＲ：Ｌの場合、光検出補正回路１４は光モジュール１３のばらつきによって、ＬＯＳ検出部１３ｃの検出レベルが高い可能性があることから、ＬＯＳ検出レベルの可変を低い方向にｉ回実行し（図３ステップＳ６）、ＬＯＳ＿ＥＲＲ解除（最大ｎ回）されるまでＬＯＳ検出レベルの可変を行う（図３ステップＳ７）。ｎ＞ｉで、ＬＯＳ＿ＥＲＲ：Ｈのままであれば、光検出補正回路１４はＬＯＳ検出レベルの可変へのフィードバックを繰り返す。
【００４１】
ｎ≧ｉで、ＬＯＳ＿ＥＲＲ：Ｌに変更になれば、光検出補正回路１４は回線品質に問題ないと判断するため、ＤＡＴＡ＿ＯＮ／ＯＦＦ制御部１４１ａをＯＮに設定し（図３ステップＳ８）、受信バッファデータ格納部１１ａからの出力停止を解除し（図３ステップＳ９）、通常モードに切り替わる（図３ステップＳ３）。ｎ＝ｉで、ＬＯＳ＿ＥＲＲ：Ｈのままであれば、光検出補正回路１４はＬＯＳ検出部１３ｃの不良とする（図３ステップＳ１０）。
【００４２】
光検出補正回路１４は受信バッファデータ格納部１１ａからの出力を停止した後に（図３ステップＳ５）、ＬＯＳ＿ＥＲＲ：Ｌ、同期ＥＲＲ：Ｈの場合には、回線品質の劣化が明白であり、不具合の切り分けを実行するために、まず、ＬＯＳ検出レベルの可変を高い方向にｉ回実行し（図３ステップＳ６）、ＬＯＳ＿ＥＲＲ発生（最大ｎ回）されるまで行う（図３ステップＳ１１）。
【００４３】
ｎ＞ｉで、ＬＯＳ＿ＥＲＲ：Ｌのままであれば、光検出補正回路１４はＬＯＳ検出レベルの可変へのフィードバックを繰り返す。ｎ≧ｉで、ＬＯＳ＿ＥＲＲ：Ｈに変更になれば、光検出補正回路１４は光モジュール１３のばらつきでＬＯＳ検出部１３ｃの検出レベルが低い設定の可能性があるため、光モジュール１３の送信パワー劣化をＥＲＲ報告格納部１４ｃに報告する（図３ステップＳ１２）。
【００４４】
ｎ＝ｉで、ＬＯＳ＿ＥＲＲ：Ｌのままであれば、光検出補正回路１４は光伝送データの不良またはＬＯＳ検出部１３ｃの故障をＥＲＲ報告格納部１４ｃに報告する（図３ステップＳ１３）。光検出補正回路１４は受信バッファデータ格納部１１ａからの出力を停止した後に（図３ステップＳ５）、ＬＯＳ＿ＥＲＲ：Ｈ、同期ＥＲＲ：Ｈの場合、光回線断または光モジュール１３の送信パワー劣化をＥＲＲ報告格納部１４ｃに報告する（図３ステップＳ１４）。
【００４５】
このように、本実施例では、光モジュール１３の特性及びＬＯＳ検出レベル等のばらつきによってＬＯＳ検出レベルが高めに設定されていた場合、本来、同期エラーが発生していないにもかかわらず、ＬＯＳ信号がアサートされＥＲＲになるところ、ＬＯＳ検出レベルの可変にて、ＬＯＳ＿ＥＲＲが解除される場合があるので、データ伝送効率を向上させることができる。
【００４６】
また、本実施例では、光モジュール１３の特性及びＬＯＳ検出レベル等のばらつきによってＬＯＳ検出レベルが低めに設定されていた場合、ＬＯＳ検出レベルの可変にてＬＯＳ検出がアサートされないままであれば光伝送系データの不良とし、ＬＯＳ検出ＥＲＲが発生したならば光モジュール１３の送信パワー劣化等として障害の切り分けができるので、同期エラー発生時におけるエラー要因を特定することができる。
【実施例２】
【００４７】
図４は本発明の他の実施例による送受信機の構成を示す図である。図４において、送受信機２は光モジュール２１と、直並列／並直列変換器２２と、信号処理部２３と、無線部２４と、ＬＯＳ検出レベル可変素子部２５と、コントローラ２６と、ＥＲＲ報告格納部２７とから構成されている。本発明の一実施例では無線基地局１で光検出補正制御を実施しているが、本実施例では送受信機２で光検出補正制御を実施している。尚、本発明の他の実施例による無線システムは図１に示す本発明の実施の形態による無線システムと同様の構成となっている。
【００４８】
光モジュール２１はＯ／Ｅ部２１ａと、Ｅ／Ｏ部２１ｂと、ＬＯＳ検出部２１ｃとを備え、信号処理部２３は同期エラー検出器２３ａと、受信バッファデータ２３ｂと、送信バッファデータ２３ｃとを備え、コントローラ２６はＤＡＴＡ＿ＯＮ／ＯＦＦ制御部２６ａと、ＬＯＳ検出レベル変更指令部２６ｂとを備えている。
【００４９】
ＤＡＴＡ＿ＯＮ／ＯＦＦ制御部２６ａは下り回線の断線または光量の低下等を検出するＬＯＳ検出部２１ｃからのＬＯＳ信号２０１と、回線品質を監視する同期エラー検出器２３ａからのＥＲ信号２０２とから受信バッファデータ格納部２３ｂから無線部２４へ出力停止を行うか否かを判断する。ＬＯＳ検出レベル変更指令部２６ｂはそのＤＡＴＡ＿ＯＮ／ＯＦＦ制御部２６ａの判断を基にＬＯＳ検出レベル可変素子部２５にてＬＯＳ検出レベルを可変させる。ＥＲＲ報告格納部２７はコントローラ２６からのＥＲＲ報告を格納する。
【００５０】
上り回線において、送信バッファデータ格納部２３ｃは無線部１０からの信号にＥＲＲ報告格納部２７に格納されているＥＲＲ報告の内容を多重させる。ＬＯＳ検出レベル可変部２１ｃは光モジュール２１の外付け回路として配線されている。
【００５１】
このように、本実施例では、光モジュール２１の特性及びＬＯＳ検出レベル等のばらつきによってＬＯＳ検出レベルが高めに設定されていた場合、本来、同期エラーが発生していないにもかかわらず、ＬＯＳ信号がアサートされＥＲＲになるところ、ＬＯＳ検出レベルの可変にて、ＬＯＳ＿ＥＲＲが解除される場合があるので、データ伝送効率を向上させることができる。
【００５２】
また、本実施例では、光モジュール２１の特性及びＬＯＳ検出レベル等のばらつきによってＬＯＳ検出レベルが低めに設定されていた場合、ＬＯＳ検出レベルの可変にてＬＯＳ検出がアサートされないままであれば光伝送系データの不良とし、ＬＯＳ検出ＥＲＲが発生したならば光モジュール２１の送信パワー劣化等として障害の切り分けができるので、同期エラー発生時におけるエラー要因を特定することができる。
【実施例３】
【００５３】
図５は本発明の別の実施例による無線システムの構成を示すブロック図である。図５において、本発明の別の実施例による無線システムはデージーチェーンを利用した構成となっている。すなわち、送受信機２ａ及び送受信機２ｂは光ファイバ１００Ａ，１００Ｂを通して無線基地局１にデージーチェーンで接続されており、本実施例では送受信機２ａ，２ｂのＬＯＳ検出にて光検出補正制御を行っている。
【００５４】
図６は図５の送受信機２ａの詳細な構成を示すブロック図である。図６において、送受信機２ａは信号処理部２３に多重部２３ｄを設け、分離部２８と光モジュール２９と信号処理部３０と直並列／並直列変換器３１とを追加した以外は図４に示す本発明の他の実施例と同様の構成となっており、同一構成要素には同一符号を付してある。また、同一構成要素の動作は本発明の他の実施例と同様である。
【００５５】
光モジュール２９はＥ／Ｏ部２９ａと、Ｏ／Ｅ部２９ｂと、ＬＯＳ検出部２９ｃとを備え、信号処理部３０は同期エラー検出器３０ａと、受信バッファデータ３０ｂとを備えている。
【００５６】
コントローラ２６は下り回線のＬＯＳ検出部２１ｃまたは送受信機２ｂより上り回線を検出するＬＯＳ検出部２９ｃからのＬＯＳ信号２０１，２０３と、回線品質を監視する同期エラー検出器２３ａまたは同期エラー検出器３０ａからのＥＲ信号２０２，２０４とを基に、エラー発生時に受信バッファデータ格納部２３ｂまたは受信バッファデータ格納部３０ｂからの出力を停止させる。ＬＯＳ検出レベル可変素子部２５はコントローラ２６からの制御に応じてＬＯＳ検出レベルを可変させる。
【００５７】
信号処理部２３の多重部２３ｄは上り回線において、無線部１０からの信号に信号処理部３０からのデータを多重する。分離部２８は光モジュール２１からの下り回線において、信号処理部２３への出力と光モジュール２９への出力とに分離する。
【００５８】
このように、本実施例では、光モジュール２１，２９の特性及びＬＯＳ検出レベル等のばらつきによってＬＯＳ検出レベルが高めに設定されていた場合、本来、同期エラーが発生していないにもかかわらず、ＬＯＳ信号がアサートされＥＲＲになるところ、ＬＯＳ検出レベルの可変にて、ＬＯＳ＿ＥＲＲが解除される場合があるので、データ伝送効率を向上させることができる。
【００５９】
また、本実施例では、光モジュール２１，２９の特性及びＬＯＳ検出レベル等のばらつきによってＬＯＳ検出レベルが低めに設定されていた場合、ＬＯＳ検出レベルの可変にてＬＯＳ検出がアサートされないままであれば光伝送系データの不良とし、ＬＯＳ検出ＥＲＲが発生したならば光モジュール２１，２９の送信パワー劣化等として障害の切り分けができるので、同期エラー発生時におけるエラー要因を特定することができる。
【図面の簡単な説明】
【００６０】
【図１】本発明の実施の形態による無線システムの構成を示すブロック図である。
【図２】本発明の一実施例による無線基地局の詳細な構成を示すブロック図である。
【図３】本発明の一実施例による無線システムの光検出補正制御方法の処理を示すフローチャートである。
【図４】本発明の他の実施例による送受信機の構成を示す図である。
【図５】本発明の別の実施例による無線システムの構成を示すブロック図である。
【図６】図５の送受信機２ａの詳細な構成を示すブロック図である。
【符号の説明】
【００６１】
１  無線基地局
２，２ａ，２ｂ  送受信機
１１  ベースバンド信号処理部
１１ａ，２３ｂ，３０ｂ  受信バッファデータ
１１ｂ，２３ａ，３０ａ  同期エラー検出器
１２，２２，３１  直並列／並直列変換器
１２ａ，２２ｂ  並直列変換器
１２ｂ，２２ａ  直並列変換器
１３，２１，２９  光モジュール
１３ａ，２１ｂ，２９ａ  Ｅ／Ｏ部
１３ｂ，２１ａ，２９ｂ  Ｏ／Ｅ部
１３ｃ，２１ｃ，２９ｃ  ＬＯＳ検出部
１４  光検出補正回路
１４ａ，２６  コントローラ
１４ｂ，２５  ＬＯＳ検出レベル可変素子部
１４ｃ，２７  ＥＲＲ報告格納部
２３，３０  信号処理部
２３ｃ  送信バッファデータ格納部
２４  無線部
１００ａ，１００ｂ，
１００Ａ，１００Ｂ  光ファイバ
１４１ａ  ＤＡＴＡ＿ＯＮ／ＯＦＦ制御部
１４２ａ  ＬＯＳ検出レベル変更指令部
【図１】
2006080704.tif 000003
【図２】
2006080704.tif 000004
【図３】
2006080704.tif 000005
【図４】
2006080704.tif 000006
【図５】
2006080704.tif 000007
【図６】
2006080704.tif 000008